(57)【要約】【課題】  従来のインターネットを使用した電話システムは、専用ソフトを入れたパソコンやＶＯＩＰ技術を使用し専用電話機を用いて通話を行うが、相手の呼出し手順が煩雑であったり、公衆回線の電話と異なる電話番号やＩＰアドレスを入力して接続する必要があり、ネットワーク間の組み合わせも限られ、公衆回線の電話への接続が困難である等の問題があった。【解決手段】  本発明は、電話機を公衆電話回線とインターネット回路網とに識別信号に応じて切り替え接続を行うアダプターを介してインターネット回路網に接続し、インターネット回路網の中に、アダプターを特定する電話番号とこれに対応するＩＰアドレスを対にしたデータを持ったゲートキーパー機能を持ったＶＯＩＰサーバーと、必要な場合にはＶＯＩＰ交換機サーバーを設け、ＶＯＩＰアダプターを介してインターネットに接続された電話機の間で通話を行えるようにすることにより従来のインターネット電話の問題点を解決したものである。【選択図】              図１
2005079930.tif 000002
【特許請求の範囲】
【請求項１】
電話機の接続される端子と、インターネットのネットワークインターフェイス
と、公衆回線のアナログ電話機インターフェイスとを持ち、電話機から送られる
識別信号に応じて電話機をインターネットへの接続とするか、公衆電話回線への
接続とするかの選択接続機能と、インターネットへの接続するための音声処理を
行うＶＯＩＰに対応した機能を備えたＶＯＩＰアダプター、
該ＶＯＩＰアダプターに接続された電話機、
インターネット回路網の中にＶＯＩＰアダプターを特定する電話番号とこの電話
番号に対応するインターネットのＩＰアドレスを対にして設定された登録データ
を持ち、電話番号とＩＰアドレスの登録データの管理を行うゲートキーパー機能
を持ったＶＯＩＰサーバー、
とを具備し、電話機よりＶＯＩＰアダプターとインターネット回路網を通してＶ
ＯＩＰサーバーにアクセスし、接続先の電話番号を指定することにより、指定し
たインターネットのＩＰアドレスが設定されている接続先の電話機に接続するよ
うに構成して、インターネットプロバイダに接続された電話機の間で公衆電話回
線を使用せずに通話を行えるようにし、又、ＶＯＩＰアダプターを介して公衆電
話回線に接続された電話機とも通話を行えるようにしたインターネットを使用し
た電話システム。
【請求項２】
請求項１において、ＶＯＩＰアダプターを特定する電話番号には、ＶＯＩＰア
ダプターに接続された電話機の公衆電話回線の電話番号を使用することを特徴と
するインターネットを使用した電話システム。
【請求項３】
請求項１において、ＶＯＩＰアダプターを特定する電話番号には、ＶＯＩＰア
ダプターに接続された電話機の公衆電話回線の電話番号と機器識別のＭａｃアド
レスを使用することを特徴とするインターネットを使用した電話システム。
【請求項４】
請求項１において、電話機を公衆電話回線とインターネット回路網との識別信
号に、ＶＯＩＰアダプターを特定する電話番号の前に特定のボタンを押すか又は
識別番号を付けることを特徴とするインターネットを使用した電話システム。
【請求項５】
請求項１において、ＶＯＩＰアダプターを特定するインターネットのＩＰアド
レスに、ＶＯＩＰアダプターが接続されているプロバイダーが割り当てたＩＰア
ドレスと、ＶＯＩＰアダプターのＩＰアドレスを使用することを特徴とするイン
ターネットを使用した電話システム。
【請求項６】
電話機を公衆電話回線とインターネット回路網とに識別信号に応じて切り替え
接続を行うＶＯＩＰアダプターを介してインターネット回路網に接続し、インタ
ーネット回路網の中に、ＶＯＩＰアダプターを特定する電話番号とこれに対応す
るインターネットのＩＰアドレスを対にして設定されている登録データを持ち、
電話番号とＩＰアドレスの登録データの管理を行うゲートキーパー機能を持った
ＶＯＩＰサーバーを複数個設け、各ＶＯＩＰサーバーにＶＯＩＰアダプターを介
してインターネット回路網に接続されている電話機を分割管理させると共に、
インターネット回路網の中に、複数個のＶＯＩＰサーバーを連携接続するＶＯＩ
Ｐ交換機サーバーを設け、ＶＯＩＰ交換機サーバーにより、異なったＶＯＩＰサ
ーバー間を連携接続することにより、異なったＶＯＩＰサーバーが管理している
インターネット回路網に接続された電話機間の通話を可能にし、又、ＶＯＩＰ交
換機サーバーにＶＯＩＰサーバーのバックアップ機能をもたせるようにして、シ
ステムの安定を計り、使い勝手が良く、異なったインターネットプロバイダーに
接続されたインターネット電話機間の通話を可能にしたインターネット電話シス
テムに使用されるサーバーの連携システム。
【請求項７】
請求項６において、各ＶＯＩＰサーバーに接続される電話機の電話番号（ユ
ーザーＩＤ）は、市外局番（例えば、０３，０６，０８７等）ごとに分類して登
録し、ＶＯＩＰサーバーを各地域に分散して、これらのＶＯＩＰサーバーをＶＯ
ＩＰ交換機サーバーにより交換接続を行うようにしたことを特徴とするインター
ネット電話システムに使用されるサーバーの連携システム。
【請求項８】
請求項6において、ＶＯＩＰ交換機サーバーは、そのデータテーブルに、国番
号，市外局番，連携するＶＯＩＰサーバーのＩＰアドレスを持っていることを特
徴とするインターネット電話システムに使用されるサーバーの連携システム。
【請求項９】
請求項6において、ＶＯＩＰ交換機サーバーは、自己の所有するデータテーブ
ルのデータにより、ＶＯＩＰサーバーが故障した場合のバックアップ機能を実行
することを特徴とするインターネット電話システムに使用されるサーバーの連携
システム。
【発明の詳細な説明】
【技術分野】
【０００１】
本発明は、インターネット電話システムとこれに使用されるサーバーの連携シ
ステムに関するものである。
本発明のインターネット電話システムは、電話機に付けた電話番号とその電話番
号に対応するインターネットのＩＰアドレスを用いて、インターネットプロバイ
ダに接続された電話機の間で公衆電話回線を使用せずに通話が行え、又、公衆回
線の電話機にも直接通話が行えるようにして使い勝手と、汎用性を高めたもので
ある。
本発明のインターネット電話システムのサーバーの連携システムは、インターネ
ットのＩＰアドレスを用いて、インターネットプロバイダに接続された電話機の
間で通話を行うようにしたインターネット電話システムの接続を制御するサーバ
ー相互間を連携することにより、異なったインターネット電話のサーバーに接続
されたインターネット電話との通話を可能にしてインターネット電話の機能を拡
張するものである。
【背景技術】
【０００２】
インターネットを使用した電話システムは、インターネットの回線網を電話回
線として用いることにより通信コストが低減されるために急速に普及しつつあり
、各種の方式が提案され実用化されている。
インターネットを使用した電話システムでは、音声データの送受信にコンピュ
ータの標準プロトコルであるＩＰ（Ｉｎｔｅｒｎｅｔ Ｐｒｏｔｏｃｏｌ）を使
って伝送する、ＶＯｌＰ（Ｖｏｌｃｅ ｏｖｅｒ ＩＰ）技術を使用しており、音
声を小さいデータのブロックに分け、そのブロックを空き回線を選んで送受信す
るために、従来の電話のように、通話中に端末間を通信が終了するまで回線を占
有しないために、一回線で複数の通話を流せるため通信の効率的が良く料金を安
く抑えられる特徴を持っている。
インターネットを使用した電話は、インターネットの回線網を電話回線として
用いることにより通信コストが低減されるために急速に普及しつつあり、各種の
方式が提案され実用化されている。
しかしながら、インターネット電話を利用するためにはお互いが同一のインタ
ーネットプロバイダーのサービスに加入することが必要であり、又通常のインタ
ーネット電話では、電話機を使用しているがターミナルアダプター（ＴＡ）、
ＡＤＳＬ、ＣＡＴＶ等の接続されている専用回線内でしか使用することができな
いため汎用性が乏しい等の制約があるため汎用性の低い使い勝手の悪いものとな
っている。
【０００３】
インターネット電話の複雑な使い勝手の問題に対処する対策として、公衆電話
の交換機をインターネットのアクセスポイントに設けたゲートキーパーに接続し
、通話先電話番号の前に加入しているプロバイダーの番号を付けて電話すること
により、同様の構成でインターネットに接続されている相手に通常の電話と同じ
感覚で電話をすることができる通話システムが提案されている。
しかしながらこのような通話システムは、相手の公衆電話の交換機もインターネ
ットのアクセスポイントに設けたゲートキーパーに接続されていることが必要で
あり、通話可能な範囲が限定されるだけでなく、各電話とインターネットのアク
セスポイントとの間は公衆電話回線を経由しているため通話料金が高くなり利用
者の負担が大きくなる。
【特許文献１】特開平１０−２２４８５３号公報
【特許文献２】特開２０００−５０４７４号公報
【特許文献３】特開２０００−２２８１４号公報
【特許文献４】特開２０００−３５８１０１号公報
【特許文献５】特開２００１−２５１４４０号公報
【発明の開示】
【発明が解決しようとする課題】
【０００４】
従来のインターネットを使用した電話システムは、専用ソフトを入れたパソコ
ンやＶＯＩＰ技術を使用し専用電話機を用いて通話を行うが、相手の呼出し手順
がインターネットプロバイダーにより異なったり、公衆回線の電話と異なる電話
番号やＩＰアドレスを入力して接続する必要がある。このため、電話の発信、受
信ができる範囲は、特定のインターネットプロバイダーのネットワークに限られ
ており、公衆回線の電話への接続が困難である等の問題があり、電話費用は削減
できるが、汎用性に乏しく使い勝手の良くないシステムである。
又、インターネット電話の使い勝手を改善した通話システムでは、通話可能な範
囲が限定されるだけでなく、各電話とインターネットのアクセスポイントとの間
は公衆電話回線を経由しているため通話料金が高くなる等の問題がある。
このような問題を解消するために、使い勝手が良く、異なったインターネット
プロバイダーに接続されたインターネット電話機間の通話を可能にし、汎用性の
ある電話システムの実現が求められている。
【課題を解決するための手段】
【０００５】
本発明のインターネット電話システムは、電話機を公衆電話回線とインターネ
ット回路網とに識別信号に応じて切り替え接続を行うＶＯＩＰアダプターとイン
ターネットモデムを通してインターネット回路網に接続し、インターネット回路
網の中に、ＶＯＩＰアダプターを特定する電話番号とこれに対応するインターネ
ットのＩＰアドレスを対にして設定されている登録データを持ち、電話番号とＩ
Ｐアドレスの登録データの管理を行うゲートキーパー機能を持ったＶＯＩＰサー
バーを設け、電話機よりＶＯＩＰアダプターとインターネット回路網を通してＶ
ＯＩＰサーバーにアクセスし接続先の電話番号を指定することにより、指定した
接続先のインターネットのＩＰアドレスが設定されている電話機に接続するよう
に構成して、ＶＯＩＰアダプターを介してインターネットプロバイダに接続され
た電話機の間で公衆電話回線を使用せずに通話を行い、又、ＶＯＩＰアダプター
を介して公衆電話回線に接続された電話機とも通話を行えるようにすることによ
り、従来のインターネット電話の問題点を解決したものである。
上記のように構成されたインターネット電話システムでは、あらかじめ各イン
ターネットに接続された電話機が、他のインターネットに接続されている電話機
に割り当てられた電話番号を使用することにより、インターネット接続された電
話機からインターネット接続された電話機及び公衆電話回線に接続された電話機
への発信が容易に実現できる。
【０００６】
又、本発明は、電話機を公衆電話回線とインターネット回路網とに識別信号に
応じて切り替え接続を行うＶＯＩＰアダプターを介してインターネット回路網に
接続し、インターネット回路網の中に、ＶＯＩＰアダプターを特定する電話番号
とこれに対応するインターネットのＩＰアドレスを対にして設定されている登録
データを持ち、電話番号とＩＰアドレスの登録データの管理を行うゲートキーパ
ー機能を持ったＶＯＩＰサーバーを複数個設け、各ＶＯＩＰサーバーにＶＯＩＰ
アダプターを介してインターネット回路網に接続されている電話機を分割管理さ
せると共に、インターネット回路網の中に、複数個のＶＯＩＰサーバーを連携接
続するＶＯＩＰ交換機サーバーを設け、ＶＯＩＰ交換機サーバーにより、異なっ
たＶＯＩＰサーバー間を連携接続することにより、異なったＶＯＩＰサーバーが
管理しているインターネット回路網に接続された電話機間の通話を可能にし、
又、ＶＯＩＰ交換機サーバーにＶＯＩＰサーバーのバックアップ機能をもたせる
ようにして、システムの安定を計り、使い勝手が良く、異なったインターネット
プロバイダーに接続されたインターネット電話機間の高速な接続を可能にしシス
テムの拡張が容易な、汎用性のある電話システムを実現したもので、世界的規模
の大規模な電話網システムが大規模な設備投資を必要とせずに容易に構築できる。
【発明の効果】
【０００７】
本発明のインターネットを使用した電話システムは、あらかじめインターネッ
ト通話装置に割り当てられた公衆回線の電話番号とネットワークアドレスを対応
させることができるので、加入電話からインターネット通話装置への発信、イン
ターネット通話装置から加入電話への発信、インターネット通話装置からインタ
ーネット通話装置への発信、が容易に実現できるだけでなく、発信元、発信先が
加入電話かインターネット通話装置かをまったく意識する必要が無く、かつ従来
の加入電話とまったく同じ操作性を実現できる。
さらにインターネット通話装置間での通話料は、インターネットサービスプロ
バイダの接続料金を除けば、距離にかかわらず、基本的に無料であるため通信経
費の大幅節減ができる。
又、本発明のインターネット電話システムに使用されるサーバーの連携システ
ムは、インターネット電話システムに使用されるサーバーをＶＯＩＰ交換機サー
バーにより連携することにより、全てのインターネット電話システムに使用され
るサーバーを簡単に連携させることができるので、世界的規模の大規模な電話網
システムが大規模な設備投資を必要とせずに容易に構築できる。
又、本発明のインターネット電話に使用されるサーバーの連携システムは、シス
テムの分散が容易にできるので、各ＶＯＩＰサーバーのデータテーブルの検索内
容（条件）が少なく簡単になるため、動作の速度が早く接続に要する時間が短縮
できる。
【発明を実施するための最良の形態】
【０００８】
以下、本発明のインターネット電話システムとこれに使用されるサーバーの連
携システムの実施形態について説明する。
図１は、本発明のインターネット電話に使用されるサーバーの連携システムを
構成する一つのＶＯＩＰサーバーが管理しているインターネット電話装置の構成
例を示す説明図である。
図１において、１０，１１，１２，１３は公衆回線に使用される電話機である。
２０，２１，２２，２３は公衆回線の電話機を公衆回線とインターネット回路と
に任意に切り替え接続を行うＶＯＩＰアダプターである。
ＶＯＩＰアダプター２０，２１，２２，２３は、電話機の接続されるアナログ端
子と、パソコン等の接続されるデジタル端子と、インターネットのネットワーク
インターフェイスと、公衆回線のアナログ電話機インターフェイスとを持ち、電
話機から送られる識別信号に応じて電話機をインターネットへの接続とするか、
公衆回線への接続とするかの選択接続機能と、インターネットへの接続するため
の音声処理を行うＶＯＩＰ対応した音声処理機能を備えたソフトウェアとインタ
ーネットモデムで構成されている。
【０００９】
ＶＯＩＰアダプター２０，２１，２２，２３は、アナログ端子に接続された電
話機１０，１１，１２，１３から送られる識別信号に応じて電話機をインターネ
ットのネットワークインターフェイスに接続するか、公衆回線のアナログ電話機
インターフェイスに接続とするかの選択を行う。ＶＯＩＰアダプター２０，
２１，２２，２３は電話又はＦＡＸを、インターネットへの接続する場合には電
話の音声をＶＯＩＰ対応した音声処理を行った後、インターネットモデムを介し
てインターネット回路に接続する。
又、ＶＯＩＰアダプター２０，２１，２２，２３は電話又はＦＡＸを、公衆回線
に接続する場合は公衆回線に直接接続する。
このようにして、ＶＯＩＰアダプター２０，２１，２２，２３は、電話機から送
られる識別信号に応じて電話機をインターネットへの接続とするか、公衆回線へ
の接続とするかの選択接続を行う。
４０，４１，４２，４３はインターネットプロバイダのアクセスポイントであ
る。アクセスポイント４０，４１，４２，４３は、インターネットサービスを行
うためのインターネットプロバイダのアクセスサーバーやルーターなどに接続さ
れており、すべてのユーザーはアクセスポイントを通してインターネットプロバ
イダに接続されている。
【００１０】
インターネットプロバイダはネットワークオペレーションセンター（ＮＯＣ）と
複数のアクセスポイント４０，４１，４２，４３とそれらを相互に接続する高速
デジタル回線から構成されており、専用線で他のインターネットサービスプロバ
イダと接続することによりインターネット回路網上の通信を実現している。
５０は、インターネットプロバイダ間を接続するインターネット回路網である
。インターネット回路網５０は複数のインターネットプロバイダが接続されてい
る。６０は、公衆回線のアナログ電話網である。
７０は、ＶＯＩＰサーバーである。ＶＯＩＰサーバーは、各ＶＯＩＰアダプター
２０，２１，２２，２３に割り当てられた電話番号（ユーザーＩＤ）と、ＶＯＩ
Ｐアダプターが接続されているＷＡＮ側のＩＰアドレスと、ＶＯＩＰアダプター
のＩＰアドレスのデータテーブルを持ち、電話番号（ユーザーＩＤ）とＷＡＮ側
のＩＰアドレスとＶＯＩＰアダプターのＩＰアドレスの対応テーブルなどの管理
を行うゲートキーパー機能を持っている。
【００１１】
図２は、ＶＯＩＰサーバー７０のデータテーブルの構成を示したものである。
図２に示すように、ＶＯＩＰサーバーのデータテーブルは、ＶＯＩＰサーバーが
管理しているすべてのＶＯＩＰアダプターの電話番号（ユーザーＩＤ）と、プロ
バイダーが割り当てたＩＰアドレス（ＷＡＮ側のＩＰアドレス）と、ＶＯＩＰア
ダプターのＩＰアドレス，機器識別のＭａｃアドレスが対で登録されており、発
信先電話番号がこのサーバーに入力された時、このデータテーブルを検索するこ
とにより、発信先のＶＯＩＰアダプターのＷＡＮ側のＩＰアドレス，機器識別の
ＭａｃアドレスとＶＯＩＰアダプターのＩＰアドレスが容易に得られる構成とな
っている。
ＷＡＮ側のＩＰアドレスは、接続しているアクセスポイントに対して割り当て
られているが、常時接続型のインターネット接続であっても、接続が中断後、再
開した時に新たなＷＡＮ側のＩＰアドレスが割り当てられる場合や、ダイヤルア
ップ時にＷＡＮ側のＩＰアドレス，機器識別のＭａｃアドレスが割り当てられる
場合には、ＶＯＩＰアダプターとＶＯＩＰサーバー７０の自動更新プログラムに
よりその更新処理が行われる。
ＶＯＩＰサーバー７０の中央処理装置は、メインメモリ中の制御プログラムの
指令を受け、ＶＯＩＰアダプターから受信したＶＯＩＰアダプターのパケットを
読み出す。パケットは電話番号と更新されたＷＡＮ側のＩＰアドレス，機器識別
のＭａｃアドレスを含んでいる。中央処理装置は、メインメモリ中の制御プログ
ラムの指令を受け、データテーブルをインターネット電話装置の電話番号で検索
し、該当した電話番号に対応するＷＡＮ側のＩＰアドレスを、新しいＷＡＮ側の
ＩＰアドレス，機器識別のＭａｃアドレスで更新する。
【００１２】
電話機は、それぞれＶＯＩＰアダプター２０，２１，２２，２３とインターネ
ットモデム及びルーターを介してインターネットプロバイダのアクセスポイント
４０，４１，４２，４３に接続され、アクセスポイント４０，４１，４２，４３
を通してインターネット回路網５０に接続されている。又、各電話機はそれぞれ
ＶＯＩＰアダプター２０，２１，２２，２３とインターネットモデム及びルータ
ーを介して公衆回線のアナログ電話網６０に接続されている。インターネット回
路網５０にはＶＯＩＰサーバー７０が接続されている。
このように構成された本発明のインターネット電話装置を使用したインターネ
ット電話システムでは、各電話機１０，１１，１２，１３がインターネット回路
網５０に接続されインターネット通話装置として利用可能になる。
インターネット通話を行う場合における、電話機の通話要求から接続までの処
理手順例を、図３の接続フローチャートを使用して説明する。
本発明に使用されるインターネット電話装置では、インターネット電話の接続
を行う場合の電話番号（ユーザーＩＤ）には、インターネット電話装置に付けら
れた公衆電話回線の電話番号をそのまま使用し、公衆電話の回線網に接続し通話
を行う場合には、インターネットと公衆電話とを識別する識別ボタンをダイヤル
してから相手の公衆電話の電話番号をダイヤルすることにより、インターネット
電話と公衆電話回線網を使用する電話との識別を行うようにしている。
又、インターネット電話として発信し、ＶＯＩＰサーバーに登録がない場合や
ＶＯＩＰアダプターがインターネットに接続されていない場合には、公衆電話回
線を使用して、リダイヤル発信する。
【００１３】
＊ダイヤル
ユーザーＡが電話機からインターネット通話を行う場合には、相手の電話番号
（ユーザーＩＤ）を「ダイヤル」する。例えば、０３−１２３４−５６７８とダ
イヤルする。
＊発信
インターネット通話要求元の電話機の接続されたＶＯＩＰアダプターは、イン
ターネット通話の識別を確認すると、インターネット通話要求を、ＶＯＩＰサー
バーのディレクトリサーバーシステムに「発信」する。
ＶＯＩＰアダプターの通話要求の発信データは、相手のユーザーＢの電話番号
（ユーザーＩＤ）と、ユーザーＡの電話の番号（ユーザーＩＤ）、ＷＡＮ側のＩＰ
アドレス、インターネットに接続されている機器を識別するＭａｃアドレス、
ＶＯＩＰアダプターのＩＰアドレスのデータである。
ＶＯＩＰアダプターの発信データは、インターネットモデムとインターネットプ
ロバイダのアクセスポイントを通してインターネット回路網に接続されている
ＶＯＩＰサーバーのＩＰアドレスに送信することによってＶＯＩＰサーバーに通
知される。
【００１４】
＊相手の検索
ＶＯＩＰアダプターの通話要求を受け取ったＶＯＩＰサーバーの中央処理装置
は、メインメモリ中の制御プログラムの指令を受け、受信した通話要求の発信デ
ータを読み出す。発信データはユーザーＢのＶＯＩＰアダプターの電話の番号
（ユーザーＩＤ）とユーザーＡの電話の番号（ユーザーＩＤ）、ＷＡＮ側のＩＰ
アドレス、ＶＯＩＰアダプターのＩＰアドレス，機器識別のＭａｃアドレス等の
データから構成されている。中央処理装置は、メインメモリ中の制御プログラム
の指令により、登録されているデータテーブルから発信データに示された電話番
号のデータを検索する。
＊相手の呼出
ＶＯＩＰサーバーの中央処理装置は、データテーブルを検索した結果、ユーザ
ーＢの電話番号と一致するデータを特定すると、データテーブルから読み出し、
ユーザーＢの電話番号に対応するＷＡＮ側のＩＰアドレス、ＶＯＩＰアダプター
のＩＰアドレス，機器識別のＭａｃアドレスに変換し、これを使用してインター
ネット回路網を通して通話相手のユーザーＢのＶＯＩＰアダプターを「呼出」す。
「呼出」を受けたユーザーＢのＶＯＩＰアダプターは、ユーザーＢの電話番号
（ユーザーＩＤ）とこれに対応するＷＡＮ側のＩＰアドレス、ＶＯＩＰアダプタ
ーのＩＰアドレスと、通話要求先のユーザーＡの電話番号（ユーザーＩＤ）をＶ
ＯＩＰサーバーに返信することにより「応答」（受話器を取る）する。
ユーザーＡのＶＯＩＰアダプターはユーザーＢのＶＯＩＰアダプターからの返信
データを受取ることにより相手との通話が確立される。
【００１５】
ＶＯＩＰサーバーは、データテーブルを検索した結果、登録されている電話番
号（ユーザーＩＤ）に該当するものが無い場合、もしくは接続相手のＶＯＩＰア
ダプターがインターネットに接続されていない場合には、該当なしのデータを
ＶＯＩＰアダプターに返信し、公衆電話回線網を使用して接続する旨の音声ガイ
ダンスを流す。
このガイダンスを受けると、通話要求先のＶＯＩＰアダプターは、一般電話の
識別信号を付して相手の公衆電話の電話番号をリダイヤルし、公衆電話回線網に
接続しの公衆電話網を通して通話が行われる。
このように、本発明に使用されるインターネット電話装置では、識別信号をチ
ェツクすることにより、インターネット電話と一般の電話とを識別して、インタ
ーネット電話の場合にはユーザーＩＤとして使用される公衆電話の番号をＶＯＩ
Ｐサーバー７０の中央処理装置に送ることにより、ＶＯＩＰサーバー７０は登録
されているデータテーブルを検索し、検索の結果、電話番号と一致するものがあ
る場合には、その電話番号に対応して登録されている発信先のＶＯＩＰアダプタ
ーのＩＰアドレスに発信することにより、インターネットプロバイダに接続され
た電話機の間で公衆電話回線を使用せずに通話を行うことができる。
【００１６】
又、インターネット電話装置が識別信号をチェツクしてインターネット電話で
はないと判断した場合や、ＶＯＩＰサーバー７０が登録されているデータテーブ
ルを検索した結果、電話番号と一致するものが無い場合には、ＶＯＩＰアダプタ
ーを介して公衆電話回線に接続された電話機とも通話が可能となり、発信元や発
信先が加入電話かインターネット通話装置かにかかわらず従来の加入電話と同じ
操作性により通話を行うことができる。
本発明に使用されるインターネット電話装置では、お互いがインターネット電
話装置を持っていれば、通話料はインターネット接続料金のみとなり、又転送機
能を使えば遠隔地のインターネット電話装置同志を組み合わせて使用することに
より遠距離電話料金を大幅に節約できる。例えばＡ企業の支店Ｂがアメリカにあ
り、アメリカの取引先に電話する場合には通常は高額の国際料金が発生するが、
Ａ企業と支店Ｂに転送先指定機能を持ったインターネット電話装置を設置し、支
店Ｂまでインターネットを使用し支店Ｂのインターネット電話装置にアメリカの
取引先への転送を設定することにより、アメリカ本土のみの通話料金でＡ企業か
らアメリカの取引先に電話をかけることができるので電話料金を大幅に節約でき
る。このような使用方法は海外への電話に限らず、国内においても例えば四国や
九州から東京や北海道への長距離電話を行う場合には転送先指定機能を持ったイ
ンターネット電話装置を使用することにより、遠距離に出張中の従業員や取引先
に安い通話料金で電話をかけることが可能になる。
【００１７】
図４は本発明のインターネット電話に使用されるサーバーの連携システムの構
成を示す説明図である。
図４において、Ａ,Ｂ,Ｃは、それぞれ図１において説明したインターネット回路
網に接続された独立のＶＯＩＰサーバーが管理しているインターネット電話網で
ある。
ＶＯＩＰサーバーＡには、公衆回線の電話機を公衆回線とインターネット回路と
に任意に切り替え接続を行うＶＯＩＰアダプターＡ１，Ａ２がインターネット回
路を介して接続されている。
ＶＯＩＰアダプターＡ１，Ａ２は、電話機の接続されるアナログ端子と、パソコ
ン等の接続されるデジタル端子と、インターネットのネットワークインターフェ
イスと、公衆回線のアナログ電話機インターフェイスとを持ち、これに接続され
た電話機から送られる識別信号に応じて電話機をインターネットへの接続とする
か、公衆回線への接続とするかの選択接続機能と、インターネットへの接続する
ための音声処理を行うＶＯＩＰ対応した音声処理機能を備えたソフトウェアで構
成されている。
同様に、ＶＯＩＰサーバーＢには、ＶＯＩＰアダプターＢ１，Ｂ２がインターネ
ット回路を介して接続され、ＶＯＩＰサーバーＣには、ＶＯＩＰアダプターＣ１，
Ｃ２がインターネット回路を介して接続されている。
【００１８】
ＥＸは、インターネット回路網に接続されたＶＯＩＰ交換機サーバーである。
ＶＯＩＰ交換機サーバーＥＸは、インターネット回路網に接続された独立のＶＯ
ＩＰサーバーＡ,Ｂ,Ｃの全てのデータテーブルを持ち、異なったＶＯＩＰサーバ
ーＡ,Ｂ,Ｃ間をインターネット回路網を介して連携接続することにより、異なっ
たＶＯＩＰサーバーが管理しているインターネット回路網に接続された全ての電
話機間の通話を可能にする。このため、ＶＯＩＰ交換機サーバーＥＸには、ＥＸ
が管理する全てのＶＯＩＰサーバーＡ,Ｂ,Ｃの最新のデータテーブルがミラー
ピーされる。
ＶＯＩＰ交換機サーバーＥＸのデータテーブルの構成を図５に示す。
又、ＶＯＩＰ交換機サーバーＥＸは、図５に示すような自己の所有するデータテ
ーブルにより、ＶＯＩＰサーバーＡ,Ｂ,Ｃが故障した場合のバックアップ機能を
もたせている。
ＶＯＩＰサーバーＡ,Ｂ,Ｃが故障した場合のバックアップの方法は、ＶＯＩＰア
ダプターより、自己の電話番号の登録されたＶＯＩＰサーバーに対して、接続要
求を出した場合に一定時間応答がない場合にはＶＯＩＰサーバーが故障と判断し
て、ＶＯＩＰアダプタはＶＯＩＰ交換機サーバーＥＸに対して接続要求を転送す
る。ＶＯＩＰ交換機サーバーＥＸは自己のデータテーブルを参照してＶＯＩＰア
ダプターの接続要求の処理を実行することにより、故障したＶＯＩＰサーバーの
バックアップを行う。
【００１９】
このような構成のインターネット電話に使用されるサーバーの連携システムの
動作を説明すると次の通りである。
1．各ＶＯＩＰサーバーＡ,Ｂ,Ｃは、自己の管理するデータテーブルに登録され
ている電話番号（ユーザーＩＤ）に該当する電話機間の通話の制御は、各
ＶＯＩＰサーバーの内部で、図２,３により説明した方法により実施される。
２．各ＶＯＩＰサーバーＡ,Ｂ,Ｃは、自己の管理するデータテーブルに登録され
ていない電話番号（ユーザーＩＤ）に該当する電話機への接続要求が出された
場合には、その接続要求をＶＯＩＰ交換機サーバーＥＸに転送する。
３．ＶＯＩＰ交換機サーバーＥＸは、ＶＯＩＰサーバーＡ,Ｂ,Ｃより、電話番号
（ユーザーＩＤ）の接続要求データが転送されてくると、その電話番号
（ユーザーＩＤ）を自己の管理するデータテーブルを参照し、転送されてきた
電話番号（ユーザーＩＤ）の接続要求データが、ＶＯＩＰサーバーＡ,Ｂ,Ｃの
どのデータテーブルに登録されているかを検索する。
４．ＶＯＩＰ交換機サーバーＥＸは、検索の結果、転送されてきた電話番号（ユ
ーザーＩＤ）の接続要求データが登録されているＶＯＩＰサーバーが検出され
ると、そのＶＯＩＰサーバーに対して電話番号（ユーザーＩＤ）の接続要求デ
ータを転送すると共に、電話番号（ユーザーＩＤ）の接続要求データを転送し
てきたＶＯＩＰサーバーと転送されてきた電話番号（ユーザーＩＤ）の接続要
求データが登録されているＶＯＩＰサーバーとを接続する。
５．ＶＯＩＰ交換機サーバーＥＸは、検索の結果、転送されてきた電話番号（ユ
ーザーＩＤ）の接続要求データが登録されているＶＯＩＰサーバーが検出され
ないと、接続要求データを転送したＶＯＩＰサーバーに対して電話番号（ユー
ザーＩＤ）の接続要求データを戻す。
６．接続要求データを転送したＶＯＩＰサーバーは、電話番号（ユーザーＩＤ）
の接続要求データを戻されると、この電話番号（ユーザーＩＤ）を一般の公衆
回線にてリダイヤルする。
【００２０】
このようにして、図２，３で説明した方法により電話番号（ユーザーＩＤ）の
接続要求データを発信したＶＯＩＰサーバーに接続された電話機と、ＶＯＩＰサ
ーバーに接続された接続要求先の電話機とがインターネット回路網を介して接続
され、通話が行われる。
各ＶＯＩＰサーバーＡ,Ｂ,Ｃに接続される電話機の電話番号（ユーザーＩＤ）
を、市外局番（例えば、０３，０６，０８７等）ごとに分類して登録し、
ＶＯＩＰサーバーを各地域に分散して、これらのＶＯＩＰサーバーをＶＯＩＰ交
換機サーバーＥＸにより交換接続を行うことにより、インターネット回路網上に
現在のＮＴＴの電話システムと同様の機能を持ったシステムを構築することが可
能になる。
又、インターネットのグローバル特性を利用して、世界の各国にＶＯＩＰサー
バーＡ,Ｂ,Ｃとこれを統括するＶＯＩＰ交換機サーバーＥＸを設置し、ＶＯＩＰ
交換機サーバーＥＸにその国の国番号に該当するＩＰアドレスを設定することに
より、大きな設備投資を必要とせずに国際的に統一された電話交換網のシステム
を構築できる。
【００２１】
このような構成を持った電話システムにおいては、ＶＯＩＰ交換機サーバーＥ
Ｘは、そのデータテーブルに、国番号，市外局番，連携するＶＯＩＰサーバーの
ＩＰアドレスを持っている。
ＶＯＩＰ交換機サーバーＥＸは、同一の国番号のデータを受信した場合は、自己
のデータテーブルの市外局番を検索し、該当するＶＯＩＰサーバーに接続し、又
、異なる国番号のデータを受信した場合は、国番号により該当する国のＶＯＩＰ
交換機サーバーＥＸを検索して、該当するＶＯＩＰ交換機サーバーＥＸにデータ
を転送する。データを転送を受けたＶＯＩＰ交換機サーバーＥＸは、自己のデー
タテーブルの市外局番を検索し、該当するＶＯＩＰサーバーに接続する。
このように本発明のインターネット電話に使用されるサーバーの連携システム
は、ＶＯＩＰ交換機サーバーとＶＯＩＰサーバーを連携することにより、全ての
ＶＯＩＰサーバーを簡単に連携させることができるので、世界的規模の大規模の
電話網システムが大規模な設備投資を必要とせずに容易に構築できる。
又、本発明のインターネット電話に使用されるサーバーの連携システムは、シス
テムの分散が容易にできるので、各ＶＯＩＰサーバーのデータテーブルの検索内
容（条件）が少なく簡単になるため、動作の速度が早く接続に要する時間が短縮
できる。
【産業上の利用可能性】
【００２２】
本発明は電気通信産業で利用可能である。
【図面の簡単な説明】
【００２３】
【図１】本発明のインターネット電話システムに使用されるサーバーの連携システムを構成する一つのＶＯＩＰサーバーが管理しているインターネット電話システムの構成例を示す説明図である。
【図２】本発明のインターネット電話システムのＶＯＩＰサーバーのデータテーブルの構成を示したものである。
【図３】インターネット通話を行う場合における、電話機の通話要求から接続までの処理手順例を示したフローチャートである。
【図４】本発明のインターネット電話に使用されるサーバーの連携システムの構成を示す説明図である。
【図５】ＶＯＩＰ交換機サーバーＥＸのデータテーブルの構成を示す。
【符号の説明】
【００２４】
１０，１１，１２，１３・・・公衆回線に使用される電話機，
２０，２１，２２，２３・・・ＶＯＩＰアダプター，
４０，４１，４２，４３・・・インターネットプロバイダのアクセスポイント，
５０・・・インターネット回路網，
６０・・・公衆回線のアナログ電話網，
７０・・・ＶＯＩＰサーバー，
Ａ,Ｂ,Ｃ,・・・インターネット回路網に接続された独立のＶＯＩＰサーバーＡ,
Ｂ,Ｃが管理しているインターネット電話網，
Ａ１，Ａ２・・・公衆回線の電話機を公衆回線とインターネット回路とに任意に
切り替え接続を行うＶＯＩＰアダプター，
Ｂ１，Ｂ２・・・公衆回線の電話機を公衆回線とインターネット回路とに任意に
切り替え接続を行うＶＯＩＰアダプター，
Ｃ１，Ｃ２・・・公衆回線の電話機を公衆回線とインターネット回路とに任意に
切り替え接続を行うＶＯＩＰアダプター，
ＥＸ・・・インターネット回路網に接続されたＶＯＩＰ交換機サーバー，
【図１】
2005079930.tif 000003
【図２】
2005079930.tif 000004
【図３】
2005079930.tif 000005
【図４】
2005079930.tif 000006
【図５】
2005079930.tif 000007